(57)【特許請求の範囲】
【請求項１】
放電素子であって、
誘電体と、
前記誘電体を介して位置する第１電極及び第２電極と、
前記第１電極及び前記第２電極がそれぞれ電気的に接続され、前記第１電極及び前記第２電極に印加される高電圧を発生させる回路部と
を含み、
前記誘電体はチューブ又は管状からなり、内部に前記回路部が位置し、
前記回路部は、
前記第１電極及び前記第２電極にそれぞれ接触する回路部高電圧出力端子及び回路部接地端子と、
前記回路部高電圧出力端子及び前記回路部接地端子が電気的接続のために固定されるＰＣＢを含み、
前記ＰＣＢは、
前記回路部高電圧出力端子及び前記回路部接地端子が両端にそれぞれ固定されることで、前記誘電体の内側面と外側面にそれぞれ接触するように設置されることを特徴とする回路部挿入型放電素子。
【請求項２】
前記第１電極は、
前記誘電体の一側面に設けられる導電性材質のコーティング層からなることを特徴とする請求項１に記載の回路部挿入型放電素子。
【請求項３】
前記第２電極は、
前記誘電体の他側面に設けられる導電性材質の網からなることを特徴とする請求項１に記載の回路部挿入型放電素子。
【請求項４】
前記回路部は、
前記ＰＣＢに設置されるトランスフォーマと
をさらに含むことを特徴とする請求項１に記載の回路部挿入型放電素子。
【請求項５】
前記回路部は、
絶縁物で覆われることを特徴とする請求項１に記載の回路部挿入型放電素子。
【請求項６】
前記ＰＣＢは、
前記回路部高電圧出力端子と前記回路部接地端子が締結部材で固定されることを特徴とする請求項１に記載の回路部挿入型放電素子。
【請求項７】
前記回路部高電圧出力端子は、
一対からなり、前記ＰＣＢを介して前記締結部材で固定されることを特徴とする請求項６に記載の回路部挿入型放電素子。
【請求項８】
前記回路部高電圧出力端子は、
前記第１電極に弾性を持って接触することを特徴とする請求項１に記載の回路部挿入型放電素子。
【請求項９】
前記回路部接地端子は、
前記第２電極に弾性を持って接触することを特徴とする請求項１に記載の回路部挿入型放電素子。
【請求項１０】
前記誘電体の開放側に設置されて外部の交流電源を前記回路部に伝達する電源アダプタを更に含むことを特徴とする請求項４に記載の回路部挿入型放電素子。
【請求項１１】
前記電源アダプタは、
前記回路部接地端子が前記誘電体の外側に引き出されるための引出し溝が形成されることを特徴とする請求項１０に記載の回路部挿入型放電素子。
【発明の詳細な説明】
【技術分野】
【０００１】
本発明は放電素子に関し、具体的に、高電圧の発生のための回路部が一体型になり得る回路部挿入型放電素子に関する。
【背景技術】
【０００２】
一般に、放電素子はタバコの臭い、汗の臭いなどの脱臭効果と共に、ウイルス、カビ、ダニなどを殺菌して空気を快適にするものである。このような放電素子は誘電体を介して位置する高電圧電極と接地電極とで構成され、外部に別途に存在する高電圧の発生のための回路部を通じて高電圧電極と接地電極との間に高電圧を印加する。放電素子はプラズマ放電をする過程で多量の酸化基及び水酸化基イオン（Ｏ２、Ｏ２-、Ｏ２+、ＨＯ２-、ＯＨ-など）を多量に生成させて前記汚染物質を酸化処理させることで、室内空気を殺菌、脱臭、浄化させる。
【０００３】
このような放電素子は、誘電体の素材としてガラス、石英、セラミック、フィルムなどを使用している。
【発明の概要】
【発明が解決しようとする課題】
【０００４】
前述した通り、従来技術による放電素子は高電圧の発生のための回路部が別途に構成されることによって、狭い設置空間に設けることが難しく、電圧を印加するワイヤーの長さによって出力の低下及び耐久性の問題をもたらし得、高電圧部の露出による不安全事故の危険があり、高電圧部の露出を防止するためにケーシングをしなければならない場合、追加の部品構成が必要であるため、経済性が低下してしまうという短所があった。
【０００５】
本発明は上記問題を解決するために案出されたものであって、その目的は、放電素子の内部空間に高電圧の発生のための回路部が位置し得るようにすることで、既存の放電素子と高電圧の発生のための回路部の分離型に比べて設置に要される空間を最小化でき、電極に高電圧を印加するためのワイヤーなどの部材を省略できることによって、耐久性が増大するだけでなく、不安全事故及び出力の低下を防止し、高電圧の露出のためのケーシングを不要とするため、製造コストを下げることができる。
【課題を解決するための手段】
【０００６】
本発明のある態様によって、放電素子であって、誘電体と、前記誘電体を介して位置する第１電極及び第２電極と、前記第１電極及び前記第２電極がそれぞれ電気的に接続され、前記第１電極及び前記第２電極に印加される高電圧を発生させる回路部とを含み、前記誘電体はチューブ又は管状からなり、内部に前記回路部が位置する回路部挿入型放電素子が提供される。
【発明の効果】
【０００７】
本発明によれば、放電素子の内部空間に高電圧の発生のための回路部が位置し得るようにすることで、既存の放電素子と高電圧の発生のための回路部の分離型に比べて設置に要される空間を最小化でき、電極に高電圧を印加するためのワイヤーなどの部材を省略できることによって、耐久性が増大するだけでなく、不安全事故及び出力の低下を防止し、高電圧の露出のためのケーシングを不要とするため、製造コストを下げることができるという効果を奏する。
【図面の簡単な説明】
【０００８】
【図１】本発明の一実施形態による回路部挿入型放電素子を示す分解図である。
【図２】本発明の一実施形態による回路部挿入型放電素子を示す正面図である。
【図３】本発明の一実施形態による回路部挿入型放電素子を示す側面図である。
【発明を実施するための形態】
【０００９】
以下、本発明の一実施形態を添付する図面を参照して詳細に説明する。なお、本発明を説明するにおいて、関連する公知の構成又は機能に関する具体的な説明が本発明の要旨を曖昧にするおそれがあると判断される場合には、その詳細な説明を省略する。
【００１０】
図１は、本発明の一実施形態による回路部挿入型放電素子を示す分解図であり、図２は、本発明の一実施形態による回路部挿入型放電素子を示す正面図であり、図３は、本発明の一実施形態による回路部挿入型放電素子を示す側面図である。図示のように、本発明の一実施形態による回路部挿入型放電素子１００は、誘電体１１０と、誘電体１１０を介して位置する第１電極１２０及び第２電極１３０と、第１電極１２０及び第２電極１３０がそれぞれ接続される回路部１４０とを含むことができる。
【００１１】
誘電体１１０は平面又は曲面のプレート、多面体などの多様な形態からなることができ、本実施形態でのように、チューブ（ｔｕｂｅ）や管（ｐｉｐｅ）状からなることができ、内部に回路部１４０が位置し得る。
【００１２】
第１電極１２０と第２電極１３０は誘電体１１０を介してそれぞれ位置するが、誘電体１１０がチューブや管状からなる場合、内側面と外側面にそれぞれ位置し得る。
【００１３】
第１電極１２０はイオン発生量を増大させるために、導電性材質、例えば電気抵抗が低いながらも耐久性に優れた銀、ニッケル、銅、アルミニウムなどの中から少なくともいずれか１つを含む材質からなることができ、誘電体１１０の一側面、一例として誘電体１１０の内側面に設けられるコーティング層からなることができる。
【００１４】
第２電極１３０はイオン発生量を増大させるために、銀、ニッケル、ステンレス、銅、アルミニウムなどの中から少なくともいずれか１つを含む材質からなることができ、誘電体１１０の他側面、一例として誘電体１１０の外側面に設けられる導電性材質の網からなることができる。 回路部１４０は第１電極１２０と第２電極１３０に印加される高電圧を発生させるが、このために外部から供給される電源を高電圧交流の一定の特性を有するパターンに変えて第１電極１２０と第２電極１３０に印加する。
【００１５】
回路部１４０は第１電極１２０と第２電極１３０にそれぞれ接触する回路部高電圧出力端子１４１及び回路部接地端子１４２と、回路部高電圧出力端子１４１及び回路部接地端子１４２が接続のために固定されるＰＣＢ１４３と、ＰＣＢ１４３に設置されてＰＣＢ１４３に供給される交流を高電圧交流に変換させるトランスフォーマ１４４を含むことができる。
【００１６】
回路部高電圧出力端子１４１と回路部接地端子１４２は、高電圧を第１電極１２０と第２電極１３０との間に印加するために導電性材質で形成され、第１電極１２０と第２電極１３０のそれぞれとの接触状態を安定的に維持するために、弾性を持って接触するように形成され得る。
【００１７】
回路部高電圧出力端子１４１は、一例としてＰＣＢ１４３に固定される部位から延長する部分が曲律を有するように形成されることで、弾性を持つ端部が誘電体１１０の内側面に位置する第１電極１２０に接触し得る。
【００１８】
回路部接地端子１４２は、一例としてＰＣＢ１４３に固定される部位から延長され、第２電極１３０を囲むように曲げられた湾曲部１４２ｂを有する。したがって、前記湾曲部１４２ｂは誘電体１１０内側面に位置する第２電極１３０に弾性を持って接触し得る。ＰＣＢ１４３には回路パターンが形成され、回路部高電圧出力端子１４１と回路部接地端子１４２が電気的接続のために両端にそれぞれ固定される。回路部高電圧出力端子１４１と回路部接地端子１４２は、誘電体１１０の内側面と外側面にそれぞれ接触するように設置され、ＰＣＢ１４３にそれぞれ固定させるために締結部材１４６が使用され得る。
【００１９】
締結部材１４６は、一例としてボルト１４６ａとナット１４６ｂが使用され得る。一方、回路部高電圧出力端子１４１及び回路部接地端子１４２とＰＣＢ１４３は、ボルト１４６ａ及びナット１４６ｂにより互いに結合されるように締結ホール１４１a、１４２a、１４３ａがそれぞれ形成され得る。
【００２０】
回路部高電圧出力端子１４１は第１電極１２０との安定した接触のために多数で、一例として、一対からなり、ＰＣＢ１４３を介して締結部材１４６で互いに固定され得る。
【００２１】
回路部１４０は、絶縁のために外部が絶縁物で覆われることができ、例えば、外部に絶縁部１４５が設けられることができる。絶縁部１４５は放電素子の内部で発生し得るオゾンやその他の酸化物質又は温度、湿度の変化から回路部１４０を保護し、第１電極１２０と回路部１４０間の物理的、化学的、電気的劣化を遮断させることができ、これにより製品の安全性、信頼性及び耐久性の確保に役立つ。
【００２２】
本発明による回路部挿入型放電素子１００は、誘電体１１０の開放側に設置される電源アダプタ１５０を更に含むことができる。
【００２３】
電源アダプタ１５０は外部の交流電源供給部に挿入されて交流が供給されるための電源端子１５１を有し、回路部１４０が一側に電気的に接続されることによって、電源端子１５１を通じて供給される交流を回路部１４０に伝達できる。
【００２４】
電源アダプタ１５０は誘電体１１０の端部が挿入されるための嵌込み溝１５２が形成され得、回路部１４０に接続された回路部接地端子１４２が誘電体１１０の外側に引き出されるように引出し溝１５３が形成され得る。
【００２５】
電源アダプタ１５０は、回路部高電圧出力端子１４１と回路部接地端子１４２を絶縁させるために、合成樹脂、ゴムなどの絶縁材質からなることができ、誘電体１１０の内部を封止するように設置されることもできる。
【００２６】
このような構成を有する本発明による回路部挿入型放電素子の作用を説明すれば、以下の通りである。
【００２７】
電源アダプタ１５０を外部の交流が印加されるソケット（図示せず）に接続させると、電源アダプタ１５０及び回路部１４０を通じて高電圧が供給される。
【００２８】
回路部１４０で供給される高電圧を回路部高電圧出力端子１４１及び回路部接地端子１４２を通じてそれぞれ第１電極１２０と第２電極１３０に印加すれば、誘電体１１０を介して電気的無声放電（ｓｉｌｅｎｔ ｄｉｓｃｈａｒｇｅ）により、イオンクラスタ（ｉｏｎ ｃｌｕｓｔｅｒ）を発生させる。
【００２９】
このように、本発明による回路部挿入型放電素子は、生成されるイオンクラスタが汚染した室内空気に混合されることにより、強力な酸化力と殺菌力を発揮して室内空気中の揮発性有機化合物と悪臭などを酸化させて除去でき、細菌とウイルスなどを殺菌することもできる。
【００３０】
また、放電素子１００の内部空間に回路部１４０が位置し得るようにすることで、設置に要される空間を最小化して設置空間の制約を解消し、回路部高電圧出力端子１４１及び回路部接地端子１４２に高電圧を印加するためのワイヤーなどの部材を省略できることによって、ワイヤーの破損に伴う耐久性の低下と不安全事故を防止し、誘電体１１０と回路部１４０を一体型に構成できることにより、ワイヤーなどの延長に伴う出力の低下を防止する。
【００３１】
以上の通り、本発明の詳細な説明で具体的な実施形態について説明したが、本発明の技術が当業者により容易に変形実施される可能性は自明であり、このような変形した実施形態は、本発明の特許請求の範囲に記載された技術思想に含まれると言える。  
以下に、本願出願の当初の特許請求の範囲に記載された発明を付記する。  
［１］放電素子であって、誘電体と、前記誘電体を介して位置する第１電極及び第２電極と、前記第１電極及び前記第２電極がそれぞれ電気的に接続され、前記第１電極及び前記第２電極に印加される高電圧を発生させる回路部とを含み、前記誘電体はチューブ又は管状からなり、内部に前記回路部が位置する回路部挿入型放電素子。
［２］前記第１電極は、前記誘電体の一側面に設けられる導電性材質のコーティング層からなることを特徴とする［１］に記載の回路部挿入型放電素子。
［３］前記第２電極は、前記誘電体の他側面に設けられる導電性材質の網からなることを特徴とする［１］に記載の回路部挿入型放電素子。
［４］前記回路部は、前記第１電極及び前記第２電極にそれぞれ接触する回路部高電圧出力端子及び回路部接地端子と、前記回路部高電圧出力端子及び前記回路部接地端子が電気的接続のために固定されるＰＣＢと、前記ＰＣＢに設置されるトランスフォーマとを含むことを特徴とする［１］に記載の回路部挿入型放電素子。
［５］前記回路部は、絶縁物で覆われることを特徴とする［４］に記載の回路部挿入型放電素子。
［６］前記ＰＣＢは、前記回路部高電圧出力端子及び前記回路部接地端子が両端にそれぞれ固定されることで、前記誘電体の内側面と外側面にそれぞれ接触するように設置されることを特徴とする［４］に記載の回路部挿入型放電素子。
［７］前記ＰＣＢは、前記回路部高電圧出力端子と前記回路部接地端子が締結部材で固定されることを特徴とする［４］又は［６］に記載の回路部挿入型放電素子。
［８］前記回路部高電圧出力端子は、一対からなり、前記ＰＣＢを介して前記締結部材で固定されることを特徴とする［７］に記載の回路部挿入型放電素子。
［９］前記回路部高電圧出力端子は、前記第１電極に弾性を持って接触することを特徴とする［４］又は［６］に記載の回路部挿入型放電素子。
［１０］前記回路部接地端子は、前記第２電極に弾性を持って接触することを特徴とする［４］又は［６］に記載の回路部挿入型放電素子。
［１１］前記誘電体の開放側に設置されて外部の交流電源を前記変圧モジュールに伝達する電源アダプタを更に含むことを特徴とする［４］に記載の回路部挿入型放電素子。
［１２］前記電源アダプタは、前記回路部接地端子が前記誘電体の外側に引き出されるための引出し溝が形成されることを特徴とする［１１］に記載の回路部挿入型放電素子。
【図１】
0005373113.tif 000002
【図２】
0005373113.tif 000003
【図３】
0005373113.tif 000004